(57)【要約】【解決手段】滑車２を介して吊下げた空き缶Ｐ圧潰用のハンマー１を設ける。このハンマー１に連結された紐状物３を介してハンマー１を吊上げる足踏みペダル４を設ける。ハンマー１の落下地点に空き缶Ｐを供給する供給器５を設ける。足踏みペダル４は、ハンマー１が一定の高さに上がったときに紐状物３と足踏みペダル４とが分離し、足踏みペダル４から足が離れたときに足踏みペダル４を上昇させて紐状物３に連結する自動連結機構１０を備えている。【効果】多数の空き缶を連続して潰すことが可能になる。極めて簡単な操作で扱うことができる。【選択図】        図１
2004202535.tif 000002
【特許請求の範囲】
【請求項１】
滑車を介して吊下げた空き缶圧潰し用のハンマーと、このハンマーに連結された紐状物を介してハンマーを吊上げる足踏みペダルと、ハンマーの落下地点に空き缶を供給する供給器とを有し、足踏みペダルは、ハンマーが一定の高さに上がったときに紐状物と足踏みペダルとが分離し、足踏みペダルから足が離れたときに足踏みペダルを上昇させて紐状物に連結する自動連結機構を備えたことを特徴とする空き缶潰し機。
【請求項２】
前記自動連結機構は、前記ハンマーが上下動する範囲に設けられた外フレームと、該外フレームの内部にスライド自在に収納されると共に、下端部に足踏みペダルを連結したペダル取付板と、該ペダル取付板の内部にスライド自在に収納されたスライド板とを有し、該スライド板の上端部に前記紐状物を連結すると共に、前記ペダル取付板の下端部に設けられた着脱ピンを介してスライド板の下端部とペダル取付板の下端部とを着脱自在に連結した請求項１記載の空き缶潰し機。
【請求項３】
前記自動連結機構において、着脱ピンは、ペダル取付板の下端部からスライド板の側面に設けた係止孔に挿入するように出没自在に設けられ、該ペダル取付板は、外フレームの上部に装着した復元バネに連結されてスライド上昇するように設けられ、スライド板の係止孔から着脱ピンが抜け、足が離れるとペダル取付板が上昇してスライド板に重合し、再び着脱ピンがスライド板の係止孔に挿入するように設けた請求項１又は２記載の空き缶潰し機。
【請求項４】
前記自動連結機構において、着脱ピンは、前記ペダル取付板の下端部からスライド板の係止孔方向に押圧付勢する弾性体と、着脱ピンのペダル取付板がわ端部に設けられたフランジとを有し、ペダル取付板が押し下げられたときにフランジに係止して着脱ピンを係止孔から引き抜く解除突起を前記外フレームに設けた請求項２又は３記載の空き缶潰し機。
【発明の詳細な説明】
【０００１】
【発明の属する技術分野】
本発明は、落下するハンマーの荷重を利用する空き缶潰し機に係り、特に複数の空き缶でも連続して潰すことが可能な空き缶潰し機に関する。
【０００２】
【従来の技術】
従来の空き缶潰し機として、たとえば特許文献１や特許文献２に記載されたタイプの空き缶潰し機がある。特許文献１のタイプは、足踏み式のペダルにラチェットを設け、貴台に立設した空き缶を縦方向に潰すタイプの空き缶潰し機である。この空き缶潰し機によると、縦に潰された空き缶は扁平な円盤状になる。
【０００３】
一方、特許文献２には、空き缶を横にして押し潰すタイプの空き缶潰し機が記載されている。この空き缶潰し機によると、足踏み式の押圧レバーの下に空き缶を横にして載置するものである。この空き缶潰し機では、空き缶の側面を２段階に分けて押し潰すことで、比較的弱い力で押し潰すことができるとしている。
【０００４】
【特許文献１】
特開平１０−２１６９９０号公報
【特許文献２】
特開平１１‐４７９９０号公報
【０００５】
【発明が解決しようとする課題】
ところが、前述のタイプの空き缶潰し機は、いずれも空き缶を一缶づつ潰すことは可能でも、複数個の空き缶を連続して潰す作業には適していなかった。
【０００６】
すなわち、特許文献１は、空き缶を縦方向に潰すので、極めて大きな圧潰力が必要になる。その為、ラチェット機構を利用しているが、このラチェット機構では、空き缶を瞬間的に潰すことはできない。したがって、一缶の空き缶を潰す作業において足踏み式のペダルを何度も踏み付ける必要が生じ、複数個の空き缶を潰すには、極めて多くの手間や時間を要するものになる。
【０００７】
また、特許文献２においても、足踏み式の押圧レバーの下に空き缶を横にして一缶づつ潰す構成になっている。この結果、複数の空き缶を潰す作業は、空き缶の設置作業、圧潰作業、潰れた空き缶の除去作業といった一連の作業を空き缶の数だけ繰り返すことになる。しかも、一つの空き缶を潰す際に、２度に分けて圧潰作業を行うことを特徴としている特許文献２では、より多くの作業が必要になっている。
【０００８】
そこで本発明は、上述の課題を解消すべく創出されたもので、多数の空き缶を連続して潰すことが可能になり、しかも、極めて簡単な操作で扱うことができる空き缶潰し機の提供を目的とする。
【０００９】
【課題を解決するための手段】
上述の目的を達成すべく本発明の第１の手段は、滑車２を介して吊下げた空き缶Ｐ圧潰用のハンマー１と、このハンマー１に連結された紐状物３を介してハンマー１を吊上げる足踏みペダル４と、ハンマー１の落下地点に空き缶Ｐを供給する供給器５とを有し、足踏みペダル４は、ハンマー１が一定の高さに上がったときに紐状物３と足踏みペダル４とが分離し、足踏みペダル４から足が離れたときに足踏みペダル４を上昇させて紐状物３に連結する自動連結機構１０を備えたものである。
【００１０】
第２の手段における自動連結機構１０は、前記ハンマー１が上下動する範囲に設けられた略樋状の外フレーム１１と、該外フレーム１１の内部にスライド自在に収納されると共に、下端部に足踏みペダル４を連結した略樋状のペダル取付板１２と、該ペダル取付板１２の内部にスライド自在に収納されたスライド板１３とを有し、該スライド板１３の上端部に前記紐状物３を連結すると共に、前記ペダル取付板１２の下端部に設けられた着脱ピン１４を介してスライド板１４の下端部とペダル取付板１２の下端部とを着脱自在に連結する。
【００１１】
第３の手段は、自動連結機構１０において、着脱ピン１４は、ペダル取付板１２の下端部からスライド板１３の側面に設けた係止孔１３Ａに挿入するように出没自在に設けられ、該ペダル取付板１２は外フレーム１１の上部に装着した復元バネ１１Ａに連結されてスライド上昇するように設けられ、スライド板１３の係止孔１３Ａから着脱ピン１４が抜けると上昇したペダル取付板１２がスライド板１３に重合し、再び着脱ピン１４がスライド板１３の係止孔１３Ａに挿入するように設けている。
【００１２】
第４の手段は、自動連結機構１０において、着脱ピン１４は、前記ペダル取付板１２からスライド板１３の係止孔１３Ａ方向に押圧付勢する弾性体１４Ａと、着脱ピン１４のペダル取付板１２がわ端部に設けられたフランジ１４Ｂとを有し、ペダル取付板１２が押し下げられたときにフランジ１４Ｂに係止して着脱ピン１４を係止孔１３Ａから引き抜く解除突起１１Ａを前記外フレーム１１に設けたことを課題解消のための手段とする。
【００１３】
【発明の実施の形態】
以下、本発明の実施の形態を説明する。本発明は、滑車２を介して吊下げたハンマー１で、空き缶Ｐの側面を圧潰する装置である。このハンマー１は、滑車２に掛けた紐状物３を介してハンマー１を吊上げる足踏みペダル４に連結されている。図示のハンマー１は15Kgの重量で、30cmの高さから落下するように設定している。この位置からハンマー１が落下すると、12ｃｍ2当り300 Kgの衝撃力が得られる。この衝撃力をスチール缶の側面に与えると、およそ１／５程度に潰すことができる。また、ハンマー１の形状を変えることで、陶器、ガラス瓶、木炭などを連続的に破砕、紛化できる。
【００１４】
滑車２は、ベース板６に立設した柱７に装着したもので、図示例では、定滑車を示している。また、この滑車２を動滑車に変更することも可能である。ベース板６は、0.4m×0.3m程度の板を用意することで、柱７を立設し、ハンマー１の落下地点に空き缶Ｐを供給する供給器５を装着し、潰れた空き缶Ｐを収納する収納ケース８などを備えることができる（図１参照）。この結果、本発明の設置場所は、狭い場所でも設置できるものになる。このとき、供給器５は、柱７に沿って立設されており、空き缶Ｐを横向きにして複数段収納している。そして、この供給器５から転がり出た空き缶Ｐが、ハンマー１の落下地点に設けた圧潰床９上に順次載置され、圧潰後、潰れた空き缶Ｐを収納ケース８に排出するように設けている。尚、図１に示す符号１Ａは、ハンマー１を囲む安全カバーである。
【００１５】
紐状物３は、ハンマー１に連結されており、滑車２から自動連結機構１０を介して足踏みペダル４に連結する。この紐状物３として、ワイヤ、ワイヤロープ、各種素材のロープ、チェーン等が用いられ、足踏みペダル４を踏み込むことで、ハンマー１を一定の高さまで引き上げるものである。
【００１６】
足踏みペダル４には、自動連結機構１０を装着している。この自動連結機構１０は二つの作用を奏する。一つは、ハンマー１が一定の高さに上がったときに紐状物３と足踏みペダル４とを分離させる作用であり、残る一つは、分離した足踏みペダル４を再び紐状物３に連結する作用である。
【００１７】
図示の自動連結機構１０は、外フレーム１１、ペダル取付板１２、スライド板１３の部材を組み合わせた構成で、いずれの部材も縦に長い樋状又は帯板状を成している（図２参照）。そして、樋状を成した外フレーム１１の内側に、樋状を成したペダル取付板１２をスライド自在に重ね、更に、ペダル取付板１２の内側にスライド板１３をスライド自在に重ねたものである。
【００１８】
外フレーム１１の内部にスライド自在に収納されたペダル取付板１２の下端部に、足踏みペダル４を連結している。また、ペダル取付板１２の内部にスライド自在に収納されたスライド板１３の上端部に紐状物３を連結する。そして、ペダル取付板１２に出没自在に設けた着脱ピン１４を介してスライド板１４の下端部とペダル取付板１２の下端部とを着脱自在に連結する。
【００１９】
着脱ピン１４は、ペダル取付板１２の下端部に設けられており、スライド板１３の側面に設けた係止孔１３Ａに自動的に挿入するように設けている（図２参照）。一方、ペダル取付板１２は、外フレーム１１の上部に装着した復元バネ１１Ａに連結されてスライド上昇する付勢力が与えられている（図３参照）。そして、スライド板１３の係止孔１３Ａから着脱ピン１４が抜けると、まず、スライド板１３がペダル取付板１２から離れて上昇し、既に上昇していたハンマー１が落下する。次に、足踏みペダル４から足を離すと、復元バネ１１Ａの作用によってペダル取付板１２が上昇し、先に上昇したスライド板１３に重合すると共に、着脱ピン１４がスライド板１３の係止孔１３Ａに再び挿入されるものである。
【００２０】
図示の着脱ピン１４は、足踏みペダル４を所定位置まで踏み込んだところで自動的に解除されるように設けている。すなわち、ペダル取付板１２からスライド板１３の係止孔１３Ａ方向に押圧付勢する弾性体１４Ａを配して、出没自在な着脱ピン１４を係止孔１３Ａ方向に突出させている（図５参照）。
【００２１】
一方、着脱ピン１４のペダル取付板１２がわ端部にフランジ１４Ｂを設け、このフランジ１４Ｂを引くと、着脱ピン１４の先端がペダル取付板１２内に引き込まれるようにしている（図６参照）。
【００２２】
そして、ペダル取付板１２が押し下げられたときにフランジ１４Ｂに係止する解除突起１１Ｂを前記外フレーム１１に設けてある（図４参照）。この解除突起１１Ｂの位置まで足踏みペダル４を踏み込むと、解除突起１１Ｂのテーパー面に係止したフランジ１４Ｂが次第に押し広げられ、着脱ピン１４を係止孔１３Ａから引き抜くことになる。
【００２３】
本発明空き缶潰し機は、空き缶Ｐを連続して潰す作業に極めて好適であるが、足踏みペダル４の踏み込み作業を利用して筋力増強に貢献する健康器具などとして用いることも可能である。
【００２４】
【発明の効果】
本発明は、上述の如く構成したことにより、当初の目的を達成する。すなわち滑車２を介して吊下げた空き缶Ｐ圧潰用のハンマー１と、このハンマー１に連結された紐状物３を介してハンマー１を吊上げる足踏みペダル４と有し、ハンマー１の落下地点に空き缶Ｐを供給する供給器５を設けたことにより、多数の空き缶を連続して潰すことが可能になる。
【００２５】
また、足踏みペダル４に自動連結機構１０を備えたことで、ハンマー１の上下動を連続して行うことができる。この結果、足踏みペダル４を踏み込む作業を繰り返すことで、複数本の空き缶Ｐを潰すことが可能になり、極めて簡単な操作で扱うことができるようになった。しかも、人力以外の動力は一切使用せずに空き缶Ｐを確実に圧潰することができる。
【００２６】
このように、本発明によると、多数の空き缶を連続して潰すことが可能になり、しかも、極めて簡単な操作で扱うことができるなどといった有益な種々の効果を奏するものである。
【図面の簡単な説明】
【図１】本発明の一実施例を示す概略図。
【図２】本発明の自動連結機構の一実施例を示す要部正面図。
【図３】本発明の自動連結機構の一実施例を示す要部側面図。
【図４】本発明の着脱ピンの連結状態を示す要部側面図。
【図５】本発明の着脱ピンの連結状態を示す側断面図。
【図６】本発明の着脱ピンの連結状態を示す側断面図。
【符号の説明】
Ｐ  空き缶
１  ハンマー        １Ａ  安全カバー
２  滑車
３  紐状物
４  足踏みペダル
５  供給器
６  ベース板
７  柱
８  収納ケース
９  圧潰床
１０  自動連結機構
１１  外フレーム      １１Ａ  復元バネ１１Ｂ  解除突起
１２  ペダル取付板
１３  スライド板      １３Ａ  係止孔
１４  着脱ピン        １４Ａ  弾性体１４Ｂ  フランジ
【図１】
2004202535.tif 000003
【図２】
2004202535.tif 000004
【図３】
2004202535.tif 000005
【図４】
2004202535.tif 000006
【図５】
2004202535.tif 000007
【図６】
2004202535.tif 000008